(57)【要約】      （修正有）【課題】ハンドツールの補助を必要とせずに、ハードディスク装置の固定と取り外しを完了でき、かつコンピュータ筐体内に迅速に抜差しすることができる、ハードディスク固定装置を提供する。【解決手段】本ハードディスク固定装置はハードディスク装置を取り付けた後、コンピュータ筐体内の対応するドライブベイ内に組み込まれ、主に搭載座部１０１の両側に位置決め部材１０４がそれぞれ取り付けられ、搭載座部１０１内に設置されたハードディスク装置が効果的に固定され、かつハードディスク装置の固定を完了した後、搭載座部１０１をコンピュータ筐体内のドライブベイに抜差しすることができ、これによりハンドツールの補助を必要とせずに迅速にハードディスク装置の固定と取り外しができる。【選択図】図１
0003154362.tif 000002
【実用新案登録請求の範囲】
【請求項１】
ハードディスク装置を取り付けることができるハードディスク固定装置であって、コンピュータ筐体内のドライブベイに迅速に組み込むことができ、前記ハードディスク固定装置が、搭載座部、１つ以上の位置決め部材、１つ以上の位置決め柱体を含み、
前記搭載座部の両側をそれぞれ折り曲げて側壁部が形成され、前記側壁部の上端に１つ以上の相対嵌合部が形成され、前記側壁部の平面上に突出した複数の組立部と、１つ以上の固定孔が形成され、前記複数の組立部にそれぞれ嵌設部材が取り付けられ、前記搭載座部の平面上に１つ以上の係合部が形成され、
前記１つ以上の位置決め部材がＬ字形を成し、その一端に複数の嵌合部が形成され、そのうち一平面に１つ以上の相対係合部が形成され、前記嵌合部と前記側壁部の前記相対嵌合部を嵌合させると、前記相対係合部が前記搭載座部の前記係合部に係合され、
前記１つ以上の位置決め柱体が前記位置決め部材の前記側壁部に相対する平面上に形成され、前記位置決め部材と前記搭載座部の組み立てが完了した後、前記位置決め柱体が前記側壁部の前記固定孔に穿設されることを特徴とする、ハードディスク固定装置。
【請求項２】
前記搭載座部の一端にストッパ部を形成したことを特徴とする、請求項１に記載のハードディスク固定装置。
【請求項３】
前記搭載座部の一平面に放熱効果を高めるための複数の通孔を設けたことを特徴とする、請求項１に記載のハードディスク固定装置。
【請求項４】
前記嵌設部材が弾性を備えた材質から成ることを特徴とする、請求項１に記載のハードディスク固定装置。
【請求項５】
前記位置決め部材の前記側壁部に相対する平面上に１つ以上の突起体を設けたことを特徴とする、請求項１に記載のハードディスク固定装置。
【請求項６】
前記位置決め柱体の上端に斜面を形成したことを特徴とする、請求項１に記載のハードディスク固定装置。
【請求項７】
前記コンピュータ筐体内の前記ドライブベイの両側にスライドレール部を形成したことを特徴とする、請求項１に記載のハードディスク固定装置。
【請求項８】
前記スライドレール部に軌道を形成したことを特徴とする、請求項７に記載のハードディスク固定装置。
【請求項９】
前記スライドレール部に第１嵌設孔と第２嵌設孔を形成したことを特徴とする、請求項７に記載のハードディスク固定装置。
【請求項１０】
前記搭載座部の平面上に複数の垂直方向の位置決め柱体を形成し、前記ハードディスク装置の底面に形成された複数の凹孔に嵌置させることを特徴とする、請求項１に記載のハードディスク固定装置。
【考案の詳細な説明】
【技術分野】
【０００１】
本考案はハードディスク装置を搭載するために用い、かつ迅速にコンピュータ筐体の中に抜差しできるハードディスク固定装置に関し、特に、ハンドツールの補助を必要とせずに、迅速にハードディスク装置の取り付け、取り外しと位置決めができる、ハードディスク固定装置に関する。
【背景技術】
【０００２】
従来のコンピュータ筐体は、内部にドライブベイが設けられ、ハードディスク装置の取り付けに使用することができ、ハードディスク装置を取り付けるときは、ハンドツールと複数のネジを利用して、ハードディスク装置をスロット内に固定し、固定の効果を達する。ハードディスク装置を取り外すときは、再度ハンドツールを利用してネジを外した後、やっとハードディスク装置を取り外すことができ、取り外しの過程が複雑で不便である。また、上述の問題を解決するため、市場にはリムーバブルハードディスクラックが出現し、ハードディスク装置をまずハンドツールとネジを利用してハードディスクラックに組み込んで固定し、ハードディスクラックを利用してコンピュータ筐体内のドライブベイに対し迅速に抜差しし、ハードディスク装置を迅速に交換したり、ホットスワップの効果を達したりすることを可能にしている。しかしながら、ハードディスク装置は常態的にハードディスクラックの中に固定されており、使用者がハードディスクラックの中のハードディスク装置を交換したいときは、やはりハンドツールを利用してハードディスク装置を固定している複数のネジを外し、ハードディスクラックを開いて、内部のハードディスク装置を取り出した後、取り付けたいハードディスク装置をハードディスクラックの中に入れ、再度ハンドツールを利用してハードディスク装置を複数のネジで固定しなければならず、このような取り外しと交換の方法は、ハードディスク装置をコンピュータ筐体内に迅速に抜差しできるものの、ハンドツールの補助によりハードディスク装置の取り外しと交換を行わなければならない。
【考案の概要】
【考案が解決しようとする課題】
【０００３】
上述の問題に鑑みて、本考案の主な目的は、ハンドツールの補助を必要とせずに、ハードディスク装置の固定と取り外しを完了でき、かつコンピュータ筐体内に迅速に抜差しすることができる、ハードディスク固定装置を提供することにある。
【課題を解決するための手段】
【０００４】
上述の目的を達するため、本考案のハードディスク固定装置は、主に搭載座部の両側に位置決め部材がそれぞれ取り付けられ、ハードディスク装置を搭載座部に配置した後、位置決め部材により効果的に固定し、かつ搭載座部をコンピュータ筐体内の相対するドライブベイに迅速に抜差しすることができ、これにより本考案はハンドツールを必要とせずにハードディスク装置の固定と取り外しを完了でき、かつ迅速かつ便利にコンピュータ筐体内に組み込むという目的を達することができる。
【図面の簡単な説明】
【０００５】
【図１】本考案の立体外観図である。
【図２】本考案の立体分解図である。
【図３】本考案の実施図１である。
【図４】本考案の実施図２である。
【図５】本考案の最良の実施例の断面図１である。
【図６】本考案の最良の実施例の組み立てが完了した状態を示す断面図である。
【図７】本考案の実施図３である。
【図８】本考案の実施図４である。
【図９】本考案的実施図５である。
【図１０】本考案的実施図６である。
【考案を実施するための形態】
【０００６】
図１に本考案の立体外観図を示す。この図に示すハードディスク固定装置１０は主に搭載座部１０１を備え、この搭載座部１０１の平面上に放熱効果を高めるための複数の通孔１０１２を設けることができ、かつその両側に内側に向かって折り曲げて形成した側壁部１０２、１０２’がそれぞれ設けられ、２つの側壁部１０２、１０２’の平面上に複数の組立部１０２１が突出して設けられ、この組立部１０２１上に嵌設部材１０２２がそれぞれ取り付けられ、また、前記搭載座部１０１の一端(２つの側壁部１０２の間に介在する一端)が折り曲げられてストッパ部１０３が設けられ、使用者がハードディスク装置を配置したとき(本図には示さない)、ハードディスク装置が搭載座部１０１の平面から落下しないように保持される。また、前記搭載座部１０１底部の平面上に複数の係合部１０１１が設けられ、さらに、前記２つの側壁部１０２、１０２’にＬ字形の位置決め部材１０４がそれぞれ取り付けられ、取り付けた後前記位置決め部材１０４上に形成された複数の位置決め柱体１０４１を前記２つの側壁部１０２、１０２’の平面上に形成された複数の固定孔１０２３にそれぞれ穿設させることができる。
【０００７】
図２に本考案の立体分解図を示す。この図に示すように、搭載座部１０１の２つの側壁部１０２、１０２’の上端に複数の相対嵌合部１０２４がそれぞれ形成され、前記位置決め部材１０４上に形成された複数の嵌合部１０４２と嵌合させることができ、前記搭載座部１０１の平面上に形成された複数の係合部１０１１は、前記位置決め部材１０４の複数の嵌合部１０４２と相対嵌合部１０２４を嵌合させた後、前記位置決め部材１０４上に形成された複数の相対係合部１０４３と相互に係合させることができる。また、前記位置決め部材１０４の前記２つの側壁部１０２、１０２’に相対する平面上に、複数の位置決め柱体１０４１及び突起体１０４４が設けられ、そのうち、前記複数の位置決め柱体１０４１は前記位置決め部材１０４と前記搭載座部１０１の組み立てが完了した後、前記２つの側壁部１０２、１０２’の平面上に形成された複数の固定孔１０２３にそれぞれ穿設させることができ、前記複数の突起体１０４４は、前記２つの側壁部１０２、１０２’の外側平面に当接させることができる。さらに図に示すように、前記嵌設部材１０２２は若干弾性を備えた材質から成り、ネジなどの固定部材１０２５を利用して、前記２つの側壁部１０２、１０２’上に形成された組立部１０２１に固定され、この嵌設部材１０２２の主な作用は、ハードディスク固定装置１０をコンピュータ筐体のドライブベイ(本図には示さない)に挿入した後、ドライブベイ中に形成された嵌設孔(本図には示さない)にそれぞれ嵌入させるために用いられる。また、本考案はさらに位置決め部材１０４の前記２つの側壁部１０２、１０２’に相対する平面上に穿孔１０４５を形成し、前記位置決め部材１０４を前記搭載座部１０１に取り付けるとき、前記嵌設部材１０２２を前記穿孔１０４５に穿通させ、それにより、前記位置決め部材１０４と前記搭載座部１０１を組み立てるとき、前記嵌設部材１０２２の干渉を受けて組み立てられないということがないようにする。また本図に示すように、さらに前記搭載座部１０１の平面上に複数の垂直方向の位置決め柱体１０５を形成または取り付けてもよく、ハードディスク底面の凹孔に嵌置させて(本図には示さない)迅速に位置決めすることができる。
【０００８】
図３に本考案の実施図１を示す。この図に示すハードディスク固定装置１０は、その実施時に、まずハードディスク装置１１を搭載座部１０１の平面上に配置する。このとき、ハードディスク装置１１両側に形成された複数の固定孔１１１を、側壁部１０２上の複数の固定孔１０２３に対応させることができる。本図に示すように、ハードディスク装置１１の配置が完了した後、位置決め部材１０４を搭載座部１０１に対して一定の適切な角度傾斜させ、嵌合部１０４２を側壁部１０２上の相対嵌合部１０２４に穿通させる。図４に本考案の実施図２を示す。図３を受けて、嵌合部１０４２を相対嵌合部１０２４に穿設した後、位置決め部材１０４に適切な力(方向Ａのように)をかけて押し、相対係合部１０４３と搭載座部１０１下端の係合部１０１１を相対して係合させる。また、位置決め部材１０４と搭載座部１０１の組み立てが完了したとき、位置決め部材１０４の複数の位置決め柱体１０４１が側壁部１０２の固定孔１０２３にそれぞれ穿設され、かつハードディスク装置１１側辺の複数の固定孔１１１中に挿入され、ハードディスク装置１１が位置決め柱体１０４１によって効果的に固定される。さらに、位置決め部材１０４と搭載座部１０１の組み立てが完了すると、位置決め部材１０４上の複数の突起体１０４４が側壁部１０２の外側平面にそれぞれ当接され、これにより、ハードディスク装置１１の作動時に発生する振動で位置決め部材１０４が振動して緩む等の状況が発生するのを複数の突起体１０４４の当接により防ぐことができる。
【０００９】
図５に本考案の最良の実施例の断面図１を示す。この図に示すハードディスク固定装置１０は、位置決め部材１０４がハードディスク装置１１をまだ搭載座部１０１の平面に配置していないときに、先に搭載座部１０１と組み立てを完了しており、本考案はさらに位置決め部材１０４上の位置決め柱体１０４１の先端に斜面１０４６を形成し、これによりハードディスク装置１１は位置決め部材１０４と搭載座部１０１を先に組み立てた後に直接方向Ｂから搭載座部１０１の平面に配置することができる。ハードディスク装置１１の両側と位置決め柱体１０４１が接触するとき、位置決め柱体１０４１の先端の斜面１０４６により、ハードディスク装置１１の両側を斜面１０４６に沿って下方向に滑らせ、円滑に搭載座部１０１底部の平面上に配置し、かつ両側の固定孔１１１には、搭載座部１０１底部の平面に配置した後、それぞれ位置決め柱体１０４１が挿入されて固定が完了し、組み立て完了後の態様は図６に示す最良の実施例の組み立てが完了した状態を示す断面図のとおりとなる。
【００１０】
図７に本考案の実施図３を示す。ハードディスク装置１１を取り外したいときは、まず指で方向Ｃに向かって位置決め部材１０４の相対係合部１０４３を持ち上げ、係合部１０１１の係合から離脱させ、位置決め部材１０４を緩んだ状態にし、この緩んだ状態下の位置決め部材１０４は、ハードディスク装置１１両側に挿入された位置決め柱体１０４１も緩んだ状態となり、使用者は緩んだ状態下の位置決め部材１０４を持ち上げて、嵌合部１０４２を相対嵌合部１０２４の嵌合から離脱させ、位置決め部材１０４を搭載座部１０１から完全に離脱させることができ、ハードディスク装置１１の取り外しという目的を達することができる。
【００１１】
図８に本考案の実施図４を示す。ハードディスク装置１１をハードディスク固定装置１０に取り付けた後、挿入方式で迅速にコンピュータ本体１２のドライブベイ１２１中に設置することができる。本図に示すように、ドライブベイ１２１はコンピュータ本体１２内部の一側に位置し、このドライブベイ１２１の両側には相対するスライドレール部１２２が形成され、ハードディスク固定装置１０をその中に挿入したいときは、挿入される一端をスライドレール部１２１に対応させ、対応させた後押し入れるだけでよい。図９の本考案の実施図５を示す。ハードディスク固定装置１０の一端をドライブベイ１２１に挿入した後、その両側の嵌設部材１０２２がスライドレール部１２２に対応し、スライドレール部１２２の傾斜状の軌道１２２１に沿ってスライドレール部１２２の末端１２２２まで円滑に導引され、かつ嵌設部材１０２２は若干の弾性を備えているため、スライドレール部１２２末端１２２２に形成された第１嵌設孔１２２３中に嵌置させることができる。さらに図１０に本考案の実施図６を示す。図９を受けて、前記嵌設部材１０２２を第１嵌設孔１２２３に嵌置させた後、ハードディスク固定装置１０全体を下に押し、もう１つの嵌設部材１０２２をスライドレール部１２２前端に形成された第２嵌設孔１２２４に嵌置させることができ、これによりハードディスク固定装置１０とハードディスク装置１１の迅速な組み込みが完了する。取り外したいときは、まずハードディスク固定装置１０の前端を上に持ち上げ、ハードディスク固定装置１０全体を引き出すだけでよい。
【００１２】
上述のように、本考案はその実施後、位置決め部材によって搭載座部上に配置されたハードディスク装置を効果的に固定することができ、かつコンピュータ筐体内のドライブベイ両側に形成された、相対するスライドレール部によって、搭載座部両側に設置された固定部材をスライドレール部の中に押し入れ、ハンドツールを必要とせずにハードディスク装置の取り付けと取り外しを行うことができ、かつ迅速にコンピュータ筐体内に抜差しできるハードディスク固定装置を確実に提供することができる。
【００１３】
以上の説明は本考案の最良の実施例であり、本考案の実施の範囲を限定するものではなく、関連技術を熟知した者が本考案の要旨と範囲を逸脱せずに行った同等の変化や修飾はすべて本考案の特許範囲内に含まれる。
【符号の説明】
【００１４】
１０      ハードディスク固定装置
１０１    搭載座部
１０１１  係合部
１０１２  通孔
１０２    側壁部
１０２１  組立部
１０２２  嵌設部材
１０２３  固定孔
１０２４  相対嵌合部
１０２５  固定部材
１０３    ストッパ部
１０４    位置決め部材
１０４１  位置決め柱体
１０４２  嵌合部
１０４３  相対係合部
１０４４  突起体
１０４５  穿孔
１０５    位置決め柱体
１１      ハードディスク装置
１１１    固定孔
１２      コンピュータ筐体
１２１    ドライブベイ
１２２    スライドレール部
１２２１  軌道
１２２２  末端
１２２３  第１嵌設孔
１２２４  第２嵌設孔
Ａ        方向
Ｂ        方向
Ｃ        方向
【図１】
0003154362.tif 000003
【図２】
0003154362.tif 000004
【図３】
0003154362.tif 000005
【図４】
0003154362.tif 000006
【図５】
0003154362.tif 000007
【図６】
0003154362.tif 000008
【図７】
0003154362.tif 000009
【図８】
0003154362.tif 000010
【図９】
0003154362.tif 000011
【図１０】
0003154362.tif 000012